(57)【要約】【解決手段】本発明は、論理チャネルと媒体アクセス制御（ＭＡＣ）ストリームとのマッピング方法を開示した。無線ネットワーク制御装置（ＲＮＣ）が、シグナリングを介して、共通制御チャネル（ＣＣＣＨ）と強化された専用チャネル（Ｅ−ＤＣＨ  ）ＭＡＣストリームとの対応関係をユーザ端末（ＵＥ）に通知するステップと、ＵＥが、シグナリングを受信し、ＣＣＣＨとＥ−ＤＣＨ  ＭＡＣストリームとの対応関係を取得するステップとを含む。本発明は、論理チャネルとＭＡＣストリームとのマッピングシステムを更に開示した。本発明の方法及びシステムによれば、ノードＢ（ＮｏｄｅＢ）とＵＥは、すべてＣＣＣＨとＥ−ＤＣＨ  ＭＡＣストリームとの対応関係を正確に取得でき、ＮｏｄｅＢが正確にデコードできることを保証し、シグナリングとデータとの受信成功率を向上させる。【選択図】図１
2013506353.tif 000002
【特許請求の範囲】
【請求項１】
論理チャネルと媒体アクセス制御（ＭＡＣ）ストリームとのマッピング方法であって、当該方法は、
無線ネットワーク制御装置（ＲＮＣ）が、シグナリングを介して、共通制御チャネル（ＣＣＣＨ）と強化された専用チャネルＥ−ＤＣＨ  ＭＡＣストリームとの対応関係をユーザ端末（ＵＥ）に通知するステップと、
前記ＵＥが、前記シグナリングを受信し、前記ＣＣＣＨとＥ−ＤＣＨ  ＭＡＣストリームとの対応関係を取得するステップとを含むことを特徴とする論理チャネルと媒体アクセス制御（ＭＡＣ）ストリームとのマッピング方法。
【請求項２】
当該方法は、
前記シグナリングにはＣＣＣＨに対応するＥ−ＤＣＨ  ＭＡＣストリームの識別子が含まれ、前記ＵＥが、前記識別子に応じて、
識別子に対応するＥ−ＤＣＨ  ＭＡＣストリームの電力オフセット 、Ｅ−ＤＣＨ  ＭＡＣストリームの最大再送回数、及び異なるＥ−ＤＣＨ  ＭＡＣストリームの間の多重化指示というパラメータの少なくとも１つを取得するステップを更に含むことを特徴とする
請求項１に記載の論理チャネルとＭＡＣストリームとのマッピング方法。
【請求項３】
前記シグナリングは、システムブロードキャストメッセージ５及び／又はシステムブロードキャストメッセージ５ｂｉｓであることを特徴とする
請求項１又は２に記載の論理チャネルとＭＡＣストリームとのマッピング方法。
【請求項４】
論理チャネルとＭＡＣストリームとのマッピング方法であって、当該方法は、
ＲＮＣが、シグナリングを介して、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、異なるＥ−ＤＣＨ  ＭＡＣストリームの間の多重化指示というパラメータの少なくとも１つをＵＥに通知するステップと、
ＵＥが、前記シグナリングから、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、異なるＥ−ＤＣＨ  ＭＡＣストリームの間の多重化指示というパラメータの少なくとも１つを取得するステップとを含むことを特徴とする論理チャネルとＭＡＣストリームとのマッピング方法。
【請求項５】
前記シグナリングは、システムブロードキャストメッセージ５及び／又はシステムブロードキャストメッセージ５ｂｉｓであることを特徴とする
請求項４に記載の論理チャネルとＭＡＣストリームとのマッピング方法。
【請求項６】
論理チャネルとＭＡＣストリームとのマッピング方法であって、
ＲＮＣとＵＥが、ＣＣＣＨによって利用されるＥ−ＤＣＨ  ＭＡＣストリーム識別子を予め設定するステップと、
前記ＵＥが、ＣＣＣＨによって利用されるＥ−ＤＣＨ  ＭＡＣストリーム識別子に応じて、ＲＮＣから送信されたシグナリングから、前記識別子に対応するＥ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得するステップとを含むことを特徴とする論理チャネルとＭＡＣストリームとのマッピング方法。
【請求項７】
前記シグナリングは、システムブロードキャストメッセージ５及び／又はシステムブロードキャストメッセージ５ｂｉｓであることを特徴とする
請求項６に記載の論理チャネルとＭＡＣストリームとのマッピング方法。
【請求項８】
論理チャネルとＭＡＣストリームとのマッピングシステムであって、
シグナリングを介して、ＣＣＣＨとＥ−ＤＣＨ  ＭＡＣストリームとの対応関係を前記ＵＥに通知することに用いられるＲＮＣと、
前記シグナリングを受信し、且つ前記ＣＣＣＨとＥ−ＤＣＨ  ＭＡＣストリームとの対応関係を取得することに用いられるＵＥとを含む論理チャネルとＭＡＣストリームとのマッピングシステム。
【請求項９】
前記ＲＮＣは、ＣＣＣＨに対応するＥ−ＤＣＨ  ＭＡＣストリーム識別子をシグナリングに含み、前記ＵＥは、前記識別子に応じて、
識別子に対応するＥ−ＤＣＨ  ＭＡＣストリームの電力オフセット 、Ｅ−ＤＣＨ  ＭＡＣストリームの最大再送回数、及び異なるＥ−ＤＣＨ  ＭＡＣストリームの間の多重化指示というパラメータの少なくとも１つを取得することを特徴とする
請求項８に記載の論理チャネルとＭＡＣストリームとのマッピングシステム。
【請求項１０】
前記シグナリングは、システムブロードキャストメッセージ５及び／又はシステムブロードキャストメッセージ５ｂｉｓであることを特徴とする
請求項８又は９に記載の論理チャネルとＭＡＣストリームとのマッピングシステム。
【請求項１１】
論理チャネルとＭＡＣストリームとのマッピングシステムであって、
シグナリングを介して、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つをＵＥに通知することに用いられるＲＮＣと、
前記シグナリングから、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得することに用いられるＵＥとを含む論理チャネルとＭＡＣストリームとのマッピングシステム。
【請求項１２】
前記シグナリングは、システムブロードキャストメッセージ５及び／又はシステムブロードキャストメッセージ５ｂｉｓであることを特徴とする
請求項１１に記載の論理チャネルとＭＡＣストリームとのマッピングシステム。
【請求項１３】
論理チャネルとＭＡＣストリームとのマッピングシステムであって、
前記ＵＥと、ＣＣＣＨによって利用されるＥ−ＤＣＨ  ＭＡＣストリーム識別子を予め設定することに用いられるＲＮＣと、
前記ＲＮＣと、ＣＣＣＨによって利用されるＥ−ＤＣＨ  ＭＡＣストリーム識別子を予め設定し、且つ前記識別子に応じて、ＲＮＣから送信されたシグナリングから、前記シグナリングに対応するＥ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得することに用いられるＵＥとを含む論理チャネルとＭＡＣストリームとのマッピングシステム。
【請求項１４】
前記シグナリングは、システムブロードキャストメッセージ５及び／又はシステムブロードキャストメッセージ５ｂｉｓであることを特徴とする
請求項１３に記載の論理チャネルとＭＡＣストリームとのマッピングシステム。
【発明の詳細な説明】
【技術分野】
【０００１】
本発明は、移動通信における遅延処理技術に関し、特に、論理チャネルと媒体アクセス制御（ＭＡＣ）ストリームとのマッピング方法及びシステムに関する。
【背景技術】
【０００２】
移動ユーザ端末（ＵＥ：Ｕｓｅｒ  Ｅｑｕｉｐｍｅｎｔ）の２種類の基本的な動作モードは、アイドル（ＩＤＬＥ）モードと接続モードである。ＩＤＬＥモードとは、ＵＥがタスク状態にあり、サービスなし状態であり、接続モードとは、ＵＥと無線ネットワーク制御装置（ＲＮＣ：Ｒａｄｉｏ  Ｎｅｔｗｏｒｋ  Ｃｏｎｔｒｏｌｌｅｒ）との間に無線リソース制御（ＲＲＣ：Ｒａｄｉｏ  Ｒｅｓｏｕｒｃｅ  Ｃｏｎｔｒｏｌ）接続確立が完了された際の状態であり、この時、ＵＥが既に１つのセルに常駐している。接続モードにおいて、ＵＥは、Ｃｅｌｌ＿ＤＣＨ、Ｃｅｌｌ＿ＦＡＣＨ、Ｃｅｌｌ＿ＰＣＨ、ＵＲＡ＿ＰＣＨという４種類の状態を有する。Ｃｅｌｌ＿ＤＣＨ状態とは、ＵＥが専用チャネルを利用して通信プロセスを行う状態であり、Ｃｅｌｌ＿ＦＡＣＨ状態とは、ＵＥが少量のデータ伝送を完了し、専用チャンネルを割り当てる必要がなくて、共通の下りアクセスチャネル（ＦＡＣＨ：Ｆｏｒｗａｒｄ  Ａｃｃｅｓｓ  Ｃｈａｎｎｅｌ）／ランダムアクセスチャネル（ＲＡＣＨ：Ｒａｎｄｏｍ  Ａｃｃｅｓｓ  Ｃｈａｎｎｅｌ）でメッセージを伝送する状態であり、Ｃｅｌｌ＿ＰＣＨ状態とは、ＵＥがデータ伝送をしないが、下り方向でページングインジケータチャネル（ＰＩＣＨ：Ｐａｇｉｎｅ  Ｉｎｄｉｃａｔｏｒ  Ｃｈａｎｎｅｌ）におけるページングインジケータメッセージを監視する状態であり、ＵＲＡ＿ＰＣＨ状態とは、ＵＥが、不連続受信にあり、ユニバーサル陸上無線アクセスネットワーク登録エリア（ＵＲＡ：ＵＴＲＡＮ  Ｒｅｇｉｓｔｒａｔｉｏｎ  Ａｒｅａ）内にＰＩＣＨメッセージを監視する状態である。
【０００３】
移動通信システムの発展に伴って、ユーザの業務サービス品質の向上は、既に事業者の最も重要な目標となり、業務サービス品質がサービス性能に影響を与えるとともに、業務に対するユーザの満足度を決定する。ユーザサービス品質を向上させるための重要な方面の一つは、接続確立とチャネル割当との場合の時間遅延であり、例えば、アップリンクとダウンリンクとのシグナリング遅延である。ＣＥＬＬ＿ＦＡＣＨ、ＣＥＬＬ＿ＰＣＨ、ＵＲＡ＿ＰＣＨ状態におけるダウンリンクシグナリングの遅延問題に対して、第３世代の移動体通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）標準では、高速ダウンリンクパケットアクセス（ＨＳＰＡ：Ｈｉｇｈ  Ｓｐｅｅｄ  Ｄｏｗｎｌｉｎｋ  Ｐｃａｋｅｔ  Ａｃｃｅｓｓ）を導入することで解決させるが、アップリンクシグナリングの遅延問題に対して、３ＧＰＰ標準では、ＣＥＬＬ  ＦＡＣＨ状態とアイドル（ＩＤＬＥ）モードで強化された専用チャネル（Ｅ−ＤＣＨ：Ｅｎｈａｎｃｅｄ  Ｄｅｄｉｃａｔｅｄ  Ｃｈａｎｎｅｌ）を利用することを導入することで解決させる。
【０００４】
アップリンクシグナリングの遅延を低減させるために、以下のいくつかの側面を考慮する必要がある。
１、ＩＤＬＥモード、ＣＥＬＬ＿ＦＡＣＨ、ＣＥＬＬ＿ＰＣＨ、ＵＲＡ＿ＰＣＨ状態でのユーザ面及び制御面の待ち時間を低減させる。
２、ＣＥＬＬ＿ＦＡＣＨ状態のピークレートを増加させる。
３、ＩＤＬＥモード、ＣＥＬＬ＿ＦＡＣＨ、ＣＥＬＬ＿ＰＣＨ、ＵＲＡ＿ＰＣＨ、ＣＥＬＬ＿ＤＣＨ状態の間の遷移遅延を低減させる。
【０００５】
上記目的を達成するために、ＩＤＬＥモードとＣＥＬＬ＿ＦＡＣＨ状態で高速アップリンクパケットアクセス（ＨＳＵＰＡ、ＨＳＰＡ、Ｈｉｇｈ  Ｓｐｅｅｄ  Ｕｐｌｉｎｋ  Ｐａｃｋｅｔ  Ａｃｃｅｓｓ）モードを導入してよい。このようなモードは、アップリンク強化ＣＥＬＬ＿ＦＡＣＨ技術とも称される。アップリンク強化ＣＥＬＬ＿ＦＡＣＨ技術の原理は、下記のようなことである。ランダムアクセスの送信がまだパケットランダムアクセスチャネル（ＰＲＡＣＨ：Ｐａｃｋｅｔ  Ｒａｎｄｏｍ  Ａｃｃｅｓｓ  Ｃｈａｎｎｅｌ）のランダムアクセスプロセスを採用するが、チャネルタイプが変化していた、即ち、ＩＤＬＥモードとＣＥｌｌ＿ＦＡＣＨ状態でＥ−ＤＣＨを利用できること、共通制御チャネル（ＤＣＣＨ：Ｃｏｍｍｏｎ  Ｃｏｎｔｒｏｌ  Ｃｈａｎｎｅｌ）／専用制御チャネル（ＤＣＣＨ：Ｄｅｄｉｃａｔｅｄ  Ｃｏｎｔｒｏｌ  Ｃｈａｎｎｅｌ）／専用通信チャネル（ＤＴＣＨ：Ｄｅｄｉｃａｔｅｄ  Ｔｒａｆｆｉｃ  Ｃｈａｎｎｅｌ）がすべてＥ−ＤＣＨにマッピングされて送信可能である。
【０００６】
現在、３ＧＰＰプロトコルにおけるＵｕインターフェースは、ＩＤＬＥモードとＣＥＬＬ＿ＦＡＣＨ状態で利用されるＥ−ＤＣＨ媒体アクセス制御（ＭＡＣ：Ｍｅｄｉａ  Ａｃｃｅｓｓ  Ｃｏｎｔｒｏｌ）ストリームを定義しており、当該Ｅ−ＤＣＨ  ＭＡＣストリームに含まれる情報は、Ｅ−ＤＣＨ  ＭＡＣストリームの電力オフセット、最大再送回数、及び、異なるＭＡＣストリームの間のプロトコルデータユニット（ＰＤＵ：Ｐｒｏｔｏｃｏｌ  Ｄａｔａ  Ｕｎｉｔ）が１つのＭＡＣ−ｉＰＤＵに多重化される可能であるかどうかである。
【０００７】
ＵＥがＥ−ＤＣＨでデータを送信する場合、まず、論理チャネルをどのＭＡＣストリームにマッピングするかを確定必要し、次に、当該データを送信するためのＥ−ＤＣＨ  ＭＡＣストリームの電力オフセット、Ｅ−ＤＣＨ  ＭＡＣストリームの最大再送回数、異なるＥ−ＤＣＨ  ＭＡＣストリームの間の多重化指示を更に確定する必要がある。異なるＥ−ＤＣＨ  ＭＡＣストリームの間の多重化指示とは、どれらのＭＡＣストリームのＰＤＵが１つの送信時間間隔（ＴＴＩ：Ｔｒａｎｓｍｉｔ  Ｔｉｍｅ  Ｉｎｔｅｒｖａｌ）内で１つのＭＡＣ−ｉＰＤＵに多重化される可能であるかを指示する。
【０００８】
しかしながら、現在のプロトコルにおいて、ネットワーク側が異なる論理チャネルがどのＥ−ＤＣＨ  ＭＡＣストリームにマッピングされるかをＵＥにどのように通知することが規定されないため、ＤＣＣＨ／ＤＴＣＨに対して、無線ベアラ（ＲＢ：Ｒａｄｉｏ  Ｂｅａｒｅｒ）マッピング情報（ＲＢ  ｍａｐｐｉｎｇ  ｉｎｆｏ）において通知してよいが、ＣＣＣＨがＥ−ＤＣＨにマッピングされる場合に対して、ＵＥが、どのＥ−ＤＣＨ  ＭＡＣストリームを使用するかを選択できなく、そして、どのハイブリッド自動再送要求（ＨＡＲＱ：Ｈｙｂｒｉｄ  Ａｕｔｏｍａｔｉｃ  Ｒｅｐｅａｔ  ｒｅｑｕｅｓｔ）ｐｒｏｆｉｌｅの使用を一意に選択できなく、これによって、ＵＥとノードＢ（ＮｏｄｅＢ）によって使用されるＨＡＲＱ  ｐｒｏｆｉｌｅ情報が不一致となってしまい、最終的にデコードエラーを引き起こしてしまう。ＨＡＲＱ  ｐｒｏｆｉｌｅとは、ＨＡＲＱ電力オフセットと最大再送回数とを含むプロトコルプロファイルであり、既存のＨＡＲＱ  ｐｒｏｆｉｌｅとＥ−ＤＣＨ  ＭＡＣストリーム識別子とが1対1対応する。
【発明の概要】
【発明が解決しようとする課題】
【０００９】
これに鑑みて、本発明の主な目的は、ＮｏｄｅＢとＵＥがすべてＣＣＣＨとＥ−ＤＣＨ  ＭＡＣストリームとの対応関係を正確に取得できるために、論理チャネルとＭＡＣストリームとのマッピング方法及びシステムを提供することにある。
【課題を解決するための手段】
【００１０】
上記目的を達成するために、本発明に係る技術的なスキームは、下記のように実現される。
【００１１】
本発明に係る論理チャネルと媒体アクセス制御（ＭＡＣ）ストリームとのマッピング方法は、無線ネットワーク制御装置（ＲＮＣ）がシグナリングを介して、共通制御チャネル（ＣＣＣＨ）と強化された専用チャネルＥ−ＤＣＨ  ＭＡＣストリームとの対応関係を端末（ＵＥ）に通知するステップと、
前記ＵＥが、前記シグナリングを受信し、且つ前記ＣＣＣＨとＥ−ＤＣＨ  ＭＡＣストリームとの対応関係を取得するステップとを含む。
【００１２】
当該方法は、前記シグナリングにはＣＣＣＨに対応するＥ−ＤＣＨ  ＭＡＣストリームの識別子が含まれ、前記ＵＥが前記識別子に応じて、
識別子に対応するＥ−ＤＣＨ  ＭＡＣストリームの電力オフセット 、Ｅ−ＤＣＨ  ＭＡＣストリームの最大再送回数、及び異なるＥ−ＤＣＨ  ＭＡＣストリームの間の多重化指示というパラメータの少なくとも１つを取得するステップを更に含む。
【００１３】
前記シグナリングは、システムブロードキャストメッセージ５及び／又はシステムブロードキャストメッセージ５ｂｉｓである。
【００１４】
本発明に係る論理チャネルとＭＡＣストリームとのマッピング方法は、
ＲＮＣがシグナリングを介してＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つをＵＥに通知するステップと、
ＵＥが、前記シグナリングから、ＣＣＣＨによって利用するＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得するステップとを含む。
【００１５】
前記シグナリングは、システムブロードキャストメッセージ５及び／又はシステムブロードキャストメッセージ５ｂｉｓである。
【００１６】
本発明に係る論理チャネルとＭＡＣストリームとのマッピング方法は、
ＲＮＣとＵＥが、ＣＣＣＨによって利用されるＥ−ＤＣＨ  ＭＡＣストリーム識別子を予め設定するステップと、
前記ＵＥが、ＣＣＣＨによって利用されるＥ−ＤＣＨ  ＭＡＣストリーム識別子に応じて、ＲＮＣから送信されたシグナリングから、前記識別子に対応するＥ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得するステップとを含む。
【００１７】
前記シグナリングは、システムブロードキャストメッセージ５及び／又はシステムブロードキャストメッセージ５ｂｉｓである。
【００１８】
本発明に係る論理チャネルとＭＡＣストリームとのマッピングシステムは、
シグナリングを介して、ＣＣＣＨとＥ−ＤＣＨ  ＭＡＣストリームとの対応関係を前記ＵＥに通知することに用いられるＲＮＣと、
前記シグナリングを受信し、且つ前記ＣＣＣＨとＥ−ＤＣＨ  ＭＡＣストリームとの対応関係を取得することに用いられるＵＥとを含む。
【００１９】
前記ＲＮＣは、ＣＣＣＨに対応するＥ−ＤＣＨ  ＭＡＣストリーム識別子をシグナリングに含み、前記ＵＥは、前記識別子に応じて、
識別子に対応するＥ−ＤＣＨ  ＭＡＣストリームの電力オフセット 、Ｅ−ＤＣＨ  ＭＡＣストリームの最大再送回数、及び異なるＥ−ＤＣＨ  ＭＡＣストリームの間の多重化指示というパラメータの少なくとも１つを取得する。
【００２０】
前記シグナリングは、システムブロードキャストメッセージ５及び／又はシステムブロードキャストメッセージ５ｂｉｓである。
【００２１】
本発明に係る論理チャネルとＭＡＣストリームとのマッピングシステムは、
シグナリングを介して、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つをＵＥに通知することに用いられるＲＮＣと、
前記シグナリングから、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得することに用いられるＵＥとを含む。
【００２２】
前記シグナリングは、システムブロードキャストメッセージ５及び／又はシステムブロードキャストメッセージ５ｂｉｓである。
【００２３】
本発明に係る論理チャネルとＭＡＣストリームとのマッピングシステムは、
前記ＵＥと、ＣＣＣＨによって利用されるＥ−ＤＣＨ  ＭＡＣストリーム識別子を予め設定することに用いられるＲＮＣと、
前記ＲＮＣと、ＣＣＣＨによって利用されるＥ−ＤＣＨ  ＭＡＣストリーム識別子を予め設定し、且つ前記識別子に応じて、ＲＮＣから送信されたシグナリングから、前記シグナリングに対応するＥ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得することに用いられるＵＥとを含む。
【００２４】
前記シグナリングは、システムブロードキャストメッセージ５及び／又はシステムブロードキャストメッセージ５ｂｉｓである。
【００２５】
本発明に係る論理チャネルとＭＡＣストリームとのマッピング方法及びシステムにおいて、ＲＮＣは、シグナリングの方式を介して、ＣＣＣＨとＥ−ＤＣＨ  ＭＡＣストリームとの対応関係をＵＥに通知し、又はＣＣＣＨによって利用されるＥ−ＤＣＨ  ＭＡＣストリームの電力オフセット及び／又はＥ−ＤＣＨ  ＭＡＣストリームの最大再送回数をＵＥに直接に通知する。これによって、ＮｏｄｅＢとＵＥがすべてＣＣＣＨとＥ−ＤＣＨ  ＭＡＣストリームとの対応関係を正確に取得しやすい、ＮｏｄｅＢが正確にデコードできることを保証して、シグナリングとデータとの受信成功率を向上させる。
【図面の簡単な説明】
【００２６】
【図１】本発明に係る論理チャネルとＭＡＣストリームとのマッピング方法のフローチャート１である。
【図２】本発明に係る論理チャネルとＭＡＣストリームとのマッピング方法のフローチャート２である。
【発明を実施するための形態】
【００２７】
以下、図面と具体的な実施形態を参照して、本発明の技術的スキームを更に詳細に説明する。
【００２８】
本発明に係る論理チャネルとＭＡＣストリームとのマッピング方法は、図１に示すように、主に下記のステップを含む。
【００２９】
ステップ１０１では、ＲＮＣは、ＣＣＣＨとＥ−ＤＣＨ  ＭＡＣストリームとの対応関係をシグナリングを介してＵＥに通知する。
【００３０】
前記シグナリングは、システムブロードキャストメッセージ５及び／又はシステムブロードキャストメッセージ５ｂｉｓのようなシステムブロードキャストメッセージであってよい。本発明に係るＣＣＣＨとＥ−ＤＣＨ  ＭＡＣストリームとの対応関係とは、シグナリングにおいて、ＣＣＣＨに対応するＥ−ＤＣＨ  ＭＡＣストリーム識別子を示す。
【００３１】
ステップ１０２では、ＵＥは、シグナリングを受信し、そしてシグナリングにおけるＣＣＣＨとＥ−ＤＣＨ  ＭＡＣストリームとの対応関係を取得する。
【００３２】
Ｅ−ＤＣＨ  ＭＡＣストリーム識別子とＨＡＲＱ  ｐｒｏｆｉｌｅ（Ｅ−ＤＣＨ  ＭＡＣストリームの電力オフセット、最大再送回数、異なるＥ−ＤＣＨ  ＭＡＣストリームの間の多重化指示の少なくとも１つを含む）との対応関係もシステムブロードキャストメッセージ５及び／又はシステムブロードキャストメッセージ５ｂｉｓでＵＥに通知されるため、ＵＥは、シグナリングにおけるＥ−ＤＣＨ  ＭＡＣストリーム識別子に応じて、対応するＨＡＲＱ  ｐｒｏｆｉｌｅから、
識別子に対応するＥ−ＤＣＨ  ＭＡＣストリームの電力オフセット 、Ｅ−ＤＣＨ  ＭＡＣストリームの最大再送回数、及び異なるＥ−ＤＣＨ  ＭＡＣストリームの間の多重化指示というパラメータの少なくとも１つを取得可能である。
【００３３】
本発明に係るもう1つの、論理チャネルとＭＡＣストリームとのマッピング方法は、図２に示すように、主に下記のステップを含む。
【００３４】
ステップ２０１では、ＲＮＣは、シグナリングを介して、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、異なるＥ−ＤＣＨ  ＭＡＣストリームの間の多重化指示というパラメータの少なくとも１つをＵＥに通知する。
【００３５】
前記シグナリングは、システムブロードキャストメッセージ５及び／又はシステムブロードキャストメッセージ５ｂｉｓのようなシステムブロードキャストメッセージであってよい。
【００３６】
ステップ２０２では、ＵＥは、シグナリングから、ＣＣＣＨによって利用されるＥ−ＤＣＨ  ＭＡＣストリームの、Ｅ−ＤＣＨ  ＭＡＣストリームの電力オフセット、Ｅ−ＤＣＨ  ＭＡＣストリームの最大再送回数、異なるＥ−ＤＣＨ  ＭＡＣストリームの間の多重化指示というパラメータの少なくとも１つを取得する。
【００３７】
本発明に係るもう1つの、論理チャネルとＭＡＣストリームとのマッピング方法は、主に下記のようなステップを含む。
【００３８】
ステップ３０１では、ＲＮＣとＵＥは、ＣＣＣＨによって利用されるＥ−ＤＣＨ  ＭＡＣストリーム識別子を予め設定する。
【００３９】
実際の応用において、ＲＮＣとＵＥは、ＣＣＣＨが利用するために、Ｅ−ＤＣＨ  ＭＡＣストリーム識別子０〜７のいずれかの１つを予め設定してよい。
【００４０】
ステップ３０２では、ＵＥは、ＣＣＣＨによって利用されるＥ−ＤＣＨ  ＭＡＣストリーム識別子に応じて、ＲＮＣから送信されたシグナリングから、当該識別子に対応するＨＡＲＱ  ｐｒｏｆｉｌｅでの、Ｅ−ＤＣＨ  ＭＡＣストリームの電力オフセット、Ｅ−ＤＣＨ  ＭＡＣストリームの最大再送回数、異なるＥ−ＤＣＨ  ＭＡＣストリームの間の多重化指示というパラメータの少なくとも１つを取得する。
【００４１】
前記シグナリングは、システムブロードキャストメッセージ５及び／又はシステムブロードキャストメッセージ５ｂｉｓのようなシステムブロードキャストメッセージであってよい。
【００４２】
Ｅ−ＤＣＨ  ＭＡＣストリーム識別子とＨＡＲＱ  ｐｒｏｆｉｌｅ（Ｅ−ＤＣＨ  ＭＡＣストリームの電力オフセット、最大再送回数、異なるＥ−ＤＣＨ  ＭＡＣストリームの間の多重化指示の少なくとも１つを含む）との対応関係もシステムブロードキャストメッセージ５及び／又はシステムブロードキャストメッセージ５ｂｉｓでＵＥに通知されるため、ＵＥは、予め設定された、ＣＣＣＨに利用されるＥ−ＤＣＨ  ＭＡＣストリーム識別子に応じて、対応するＨＡＲＱ  ｐｒｏｆｉｌｅから、
識別子に対応するＥ−ＤＣＨ  ＭＡＣストリームの電力オフセット 、Ｅ−ＤＣＨ  ＭＡＣストリームの最大再送回数、及び異なるＥ−ＤＣＨ  ＭＡＣストリームの間の多重化指示というパラメータの少なくとも１つを取得可能である。
【００４３】
前記論理チャネルとＭＡＣストリームとのマッピング方法を実現するために、本発明に係る論理チャネルとＭＡＣストリームとのマッピングシステムは、ＲＮＣとＵＥとを含む。ＲＮＣは、シグナリングを介して、ＣＣＣＨとＥ−ＤＣＨ  ＭＡＣストリームとの対応関係をＵＥに通知することに用いられ、それに対応して、ＵＥは、前記シグナリングを受信し、そしてシグナリングでのＣＣＣＨとＥ−ＤＣＨ  ＭＡＣストリームとの対応関係を取得することに用いられる。ＲＮＣは、ＣＣＣＨに対応するＥ−ＤＣＨ  ＭＡＣストリーム識別子をシグナリングに含んでよい、ＵＥは、当該識別子に応じて、識別子に対応するＥ−ＤＣＨ  ＭＡＣストリームの電力オフセット、Ｅ−ＤＣＨ  ＭＡＣストリームの最大再送回数、及び異なるＥ−ＤＣＨ  ＭＡＣストリームの間の多重化指示というパラメータの少なくとも１つを取得する。
【００４４】
また、ＲＮＣは、シグナリングを介して、ＣＣＣＨによって利用されるＥ−ＤＣＨ  ＭＡＣストリームの上記パラメータ（識別子に対応するＥ−ＤＣＨ  ＭＡＣストリームの電力オフセット及び／又はＥ−ＤＣＨ  ＭＡＣストリームの最大再送回数及び／又は異なるＥ−ＤＣＨ  ＭＡＣストリームの間の多重化指示）を直接にＵＥに通知してもよく、それに対応して、ＵＥは、シグナリングから、ＣＣＣＨによって利用されるＥ−ＤＣＨ  ＭＡＣストリームの関連パラメータを取得することに用いられる。
【００４５】
ＲＮＣとＵＥは、さらに、ＣＣＣＨによって利用されるＥ−ＤＣＨ  ＭＡＣストリーム識別子を予め設定してよい、それから、ＵＥは、ＣＣＣＨによって利用されるＥ−ＤＣＨ  ＭＡＣストリーム識別子に応じて、ＲＮＣから送信されたシグナリングから、当該識別子に対応するＨＡＲＱ  ＨＡＲＱ  ｐｒｏｆｉｌｅでの、Ｅ−ＤＣＨ  ＭＡＣストリームの電力オフセット、Ｅ−ＤＣＨ  ＭＡＣストリームの最大再送回数、異なるＥ−ＤＣＨ  ＭＡＣストリームの間の多重化指示というパラメータの少なくとも１つを取得する。
【００４６】
上記のように、本発明によれば、ＮｏｄｅＢとＵＥがすべてＣＣＣＨとＥ−ＤＣＨ  ＭＡＣストリームとの対応関係を正確に取得でき、ＮｏｄｅＢが正確にデコードできることを保証し、シグナリングとデータとの受信成功率を向上させる。
【００４７】
上記は、本発明の好ましい実施形態だけであるが、本発明の保護範囲を限定することに用いられるものではない。
【図１】
2013506353.tif 000003
【図２】
2013506353.tif 000004
【国際調査報告】
2013506353.tif 000005
2013506353.tif 000006
2013506353.tif 000007
2013506353.tif 000008